(57)【要約】【課題】開閉蓋の形成位置を視認し易くして、使い勝手を高めた差し出用紙幣・金券袋を提供する。【解決手段】中に納めた紙幣・金券Ｐを外から視認すべく、袋本体１の一部に曲線や折曲線よりなる切込みを入れて開閉蓋２を有する開口窓３を形成した差し出用紙幣・金券袋であって、開閉蓋２の外表面または袋本体１の開閉蓋２近傍に、当該開閉蓋２の位置を視認させる矢印等の印４を設け、かつ、開閉蓋２の基部である袋本体１との境界線に、押し型による薄肉線部５を形成してあり、更にミシン目６を形成し、視力の弱い人でも簡単にその形成位置を視認することができる。従って、容易に開閉蓋２を開けて、中の紙幣・金券Ｐの有無を視認することができる。【選択図】      図１
0003101926.tif 000002
【実用新案登録請求の範囲】
【請求項１】
中に納めた紙幣・金券（Ｐ）を外から視認すべく，袋本体（１）の一部に曲線や折曲線よりなる切込みを入れて開閉蓋（２）を有する開口窓（３）を形成した差し出用紙幣・金券袋であって、
前記開閉蓋の外表面または前記袋本体の前記開閉蓋近傍に，該開閉蓋の位置を視認させる矢印等の印（４）を設け、
かつ，前記開閉蓋の基部である前記袋本体との境界線に，押し型による薄肉線部（５）を形成してなる差し出用紙幣・金券袋。
【請求項２】
中に納めた紙幣・金券（Ｐ）を外から視認すべく，袋本体（１）の一部に曲線や折曲線よりなる切込みを入れて開閉蓋（２）を有する開口窓（３）を形成した差し出用紙幣・金券袋であって、
前記開閉蓋の外表面または前記袋本体の前記開閉蓋近傍に，該開閉蓋の位置を視認させる矢印等の印（４）を設け、
かつ，前記開閉蓋の基部である前記袋本体との境界線に，ミシン目（６）を形成してなる差し出用紙幣・金券袋。
【考案の詳細な説明】
【技術分野】
【０００１】
本考案は、祝儀袋や不祝儀袋などの紙幣・金券袋に、中に納めた紙幣・金券を外から視認できるように、開閉蓋を有する開口窓を設けた差し出用紙幣・金券袋に関するものである。
【背景技術】
【０００２】
祝儀袋や不祝儀袋あるいはお見舞袋などのいわゆる差し出用紙幣・金券袋は不透明の紙で作られているので、中に納めた紙幣・金券を外から確認することができない。そのため、誤って紙幣・金券を納めないまま差し出してしまったり、紙幣・金券を納めたにも拘わらず、確認のため何度も開封してしまうことがある。
【０００３】
こうした点に鑑み、差し出用紙幣・金券袋の袋本体に曲線や折曲線よりなる切込みを入れることによって、開閉蓋を有する開口窓を形成し、中に納め紙幣・金券を外から視認することができるようにしたものが創案されている（例えば、特許文献１参照）。
【特許文献１】特開２００２−９６８７４号公報
【考案の開示】
【考案が解決しようとする課題】
【０００４】
この開閉蓋を備えた開口窓を有する差し出用紙幣・金券袋は、中に入れた紙幣・金券を外から視認することができるので、きわめて便利であるが、改善の余地もある。
すなわち、開閉蓋は袋本体に切込みを入れて形成しているので、当該開閉蓋の形成位置が分かり難く、よって、例えば、視力の弱い人にとっては使い勝手が充分に満足できるものとは言えない。
【０００５】
本考案はこうした問題に鑑み創案されたもので、開閉蓋の形成位置を視認し易くして、使い勝手を高めた差し出用紙幣・金券袋を提供することを課題とする。
【課題を解決するための手段】
【０００６】
図１乃至図５を参照して説明する。請求項１に記載の考案は、中に納めた紙幣・金券Ｐを外から視認すべく、袋本体１の一部に曲線や折曲線よりなる切込みを入れて開閉蓋２を有する開口窓３を形成した差し出用紙幣・金券袋であって、前記開閉蓋２の外表面または前記袋本体１の前記開閉蓋２近傍に、当該開閉蓋２の位置を視認させる矢印等の印４を設け、かつ、前記開閉蓋２の基部である前記袋本体１との境界線に、押し型による薄肉線部５を形成してなるものである。
【０００７】
請求項２に記載の考案は、中に納めた紙幣・金券Ｐを外から視認すべく、袋本体１の一部に曲線や折曲線よりなる切込みを入れて開閉蓋２を有する開口窓３を形成した差し出用紙幣・金券袋であって、前記開閉蓋２の外表面または前記袋本体１の前記開閉蓋２近傍に、当該開閉蓋２の位置を視認させる矢印等の印４を設け、かつ、前記開閉蓋２の基部である前記袋本体１との境界線に、ミシン目６を形成してなるものである。
【０００８】
なお、請求項１および２における差し出用紙幣・金券袋には、大判の紙を折って折り畳み状に形成しその周囲に水引を掛け渡す金封袋，印刷金封、折返し部のある多当袋を含む。
【考案の効果】
【０００９】
請求項１に記載の差し出用紙幣・金券袋は、開閉蓋２の外表面、または袋本体１の開閉蓋２近傍に、当該開閉蓋２の位置を視認させる矢印等の印４を設けているので、例えば、視力の弱い人でも簡単にその形成位置を視認することができる。従って、容易に開閉蓋２を開けて、中の紙幣・金券Ｐの有無を視認することができる。
【００１０】
また、この差し出用紙幣・金券袋は、開閉蓋２の基部である袋本体１との境界線に、押し型による薄肉線部５を形成しているので、その薄肉線部５を軸として、指で容易に開閉蓋２を開けることができる。また、この開閉蓋２は、指を離すと自力で元の閉じた状態に復帰する。
【００１１】
ちなみに、薄肉線部５を形成しないと、開閉蓋２を開けた際に、当該開閉蓋２と袋本体１との境界線に折目がついてしまい、指を離しても元の閉状態に復帰しないので、見栄えが悪くなるといった問題が発生してしまう。
【００１２】
請求項２に記載の差し出用紙幣・金券袋は、開閉蓋２の外表面、または袋本体１の開閉蓋２近傍に、当該開閉蓋２の位置を視認させる矢印等の印４を設けているので、請求項１に記載の考案と同様、開閉蓋２の形成位置を容易に視認することができる。
【００１３】
また、開閉蓋２の基部である袋本体１との境界線にミシン目６を形成しているので、同様に、そのミシン目６を軸として、指で容易に開閉蓋２を開けることができ、また、指を離すことによって元の閉じた状態に復帰させることができる。
【考案を実施するための最良の形態】
【００１４】
本考案に係る差し出用紙幣・金券袋の第一実施形態を、図１乃至図３に示す。これは、中に納めた紙幣・金券Ｐを外から視認すべく、袋本体１の裏面の折返部１ａによって隠れる部分の一部に曲線や折曲線よりなる切込みを入れて開閉蓋２を有する開口窓３を形成した金封袋である。この金封袋には水引７が掛け渡される。
【００１５】
当該金封袋において、その開閉蓋２の外表面には矢印の印４を印刷し、この開閉蓋２の位置が容易に視認できるようにしている。また、開閉蓋２の基部である袋本体１との境界線には、押し金型で押圧して形成した薄肉線部５を形成している。なお、曲線や折曲線よりなる切込みも、この押し金型で、薄肉線部５と同時に成形している。
【００１６】
この差し出用紙幣・金券袋は、開閉蓋２の外表面に印４を印刷しているので、例えば、視力の弱い人でも簡単にその形成位置を視認することができる。従って、容易に開閉蓋２を開けて中の紙幣・金券Ｐを視認することができる。
【００１７】
また、この差し出用紙幣・金券袋は、開閉蓋２の基部と袋本体１との境界線に、薄肉線部５を形成しているので、開閉蓋２を容易に開けることができると共に、円滑に元の閉状態に復帰させることができる。
【００１８】
本考案に係る差し出用紙幣・金券袋の第二実施形態を、図４および図５に示す。これは紙幣袋、いわゆる多当袋であり、袋本体１の開閉蓋２近傍に、その開閉蓋２の位置を視認させる印（矢印）４を印刷し、また、開閉蓋２の基部である前記袋本体１との境界線に、ミシン目６を形成している。
【００１９】
袋本体１の開閉蓋２近傍に印４を印刷しているので、容易に開閉蓋２の存在位置を視認させることができる。また、ミシン目６を形成しているので、開閉蓋２を容易に開けることができると共に、自力で閉状態に復帰させることができる。
【００２０】
なお、上記実施形態では、印４を矢印としているが、本考案がこれに限定するものではなく、例えば、「フタ」、「ここを開ける」等の文字を入れても良い。また、その色も黒に限らず、茶色や紫等の視認され易い色とすることもできる。さらに、印４は、開閉蓋２と、袋本体１の開閉蓋２近傍の両方に入れても良い。
【図面の簡単な説明】
【００２１】
【図１】本考案に係る差し出用紙幣・金券袋の第一実施形態を示すもので、（ａ）は折返部を開いた状態の裏面図、（ｂ）は折返部を閉じた状態の裏面図、（ｃ）は表側の正面図である。
【図２】図１に示す差し出用紙幣・金券袋の要部拡大裏面図であり、（ａ）は開閉蓋を閉じた状態、（ｂ）は開けた状態を示す。
【図３】図２（ａ）のＡ−Ａ線拡大断面図であり、（ａ）は開閉蓋を閉じた状態、（ｂ）は開いた状態を示す。
【図４】本考案に係る差し出用多当紙幣・金券袋の第二実施形態を示す裏面図である。
【図５】図４に示す差し出用多当紙幣・金券袋の要部拡大裏面図である。
【図６】本考案に係る差し出用印刷紙幣・金券袋の第二実施形態を示す裏面図である。
【図７】図６に示す差し出用印刷紙幣・金券袋の要部拡大裏面図である。
【符号の説明】
【００２２】
１      袋本体
１ａ    折返部
２      開閉蓋
３      開口窓
４      印
５      薄肉線部
６      ミシン目
７      水引
Ｐ      紙幣・金券
【図１】
0003101926.tif 000003
【図２】
0003101926.tif 000004
【図３】
0003101926.tif 000005
【図４】
0003101926.tif 000006
【図５】
0003101926.tif 000007
【図６】
0003101926.tif 000008
【図７】
0003101926.tif 000009